(57)【要約】【課題】効率的に穿刺を行うことが可能な穿刺針を提供する。【解決手段】穿刺針１０Ａは、針先端部１２に刃面１４を備えるとともに、刃面１４の先端側に針先構造１６を有する。針先構造１６は、複数の針先２０を有する。複数の針先２０を有することにより、血管と針先２０の接触面積が増えるとともに、少なくとも２点の針先２０で挟むように血管を捕えることができる。このため、血管への穿刺成功率が向上する。【選択図】図２
2018143630.tif 000002
【特許請求の範囲】
【請求項１】
針先端部に刃面を備えるとともに、前記刃面の先端側に針先構造を有する穿刺針であって、
前記針先構造は、複数の針先を有する、
ことを特徴とする穿刺針。
【請求項２】
請求項１記載の穿刺針において、
前記複数の針先の数は、２又は３である、
ことを特徴とする穿刺針。
【請求項３】
請求項１又は２記載の穿刺針において、
前記複数の針先は、前記穿刺針の軸に平行な同一平面上に位置する、
ことを特徴とする穿刺針。
【請求項４】
請求項１〜３のいずれか１項に記載の穿刺針において、
前記複数の針先のうち、少なくとも２つの針先は、前記穿刺針の軸に垂直な同一平面上に位置する、
ことを特徴とする穿刺針。
【請求項５】
請求項４記載の穿刺針において、
前記複数の針先のうち他の針先は、前記２つの針先よりも基端側に位置する、
ことを特徴とする穿刺針。
【請求項６】
請求項１〜３のいずれか１項に記載の穿刺針において、
前記複数の針先のうち両端に位置する針先は、前記穿刺針の軸に垂直な同一平面上に位置する、
ことを特徴とする穿刺針。
【請求項７】
請求項１〜６のいずれか１項に記載の穿刺針において、
前記複数の針先は、前記刃面に垂直な方向から見て三角形状の複数の突起の先端に設けられており、
前記複数の突起の側部には、切刃が設けられている、
ことを特徴とする穿刺針。
【請求項８】
請求項７記載の穿刺針において、
前記針先端部には、バックカット又はランセットが形成されている、
ことを特徴とする穿刺針。
【請求項９】
請求項１〜８のいずれか１項に記載の穿刺針において、
前記複数の針先のうち互いに隣接する針先の間隔Ｗは、０ｍｍ＜Ｗ＜１．６８ｍｍ又は０ｍｍ＜Ｗ＜１．２ｍｍの条件を満たす、
ことを特徴とする穿刺針。
【請求項１０】
請求項１〜９のいずれか１項に記載の穿刺針において、
前記複数の針先の角度θは、１°＜θ＜１２０°、１°＜θ＜６０°又は１°＜θ＜３０°の条件を満たす、
ことを特徴とする穿刺針。
【発明の詳細な説明】
【技術分野】
【０００１】
本発明は、先端に鋭利な針先を有する穿刺針に関する。
【背景技術】
【０００２】
従来、注射針や留置針等に用いられる穿刺針は公知である。一般に、穿刺針は、先端に鋭利な針先を有する（例えば、下記特許文献１を参照）。穿刺針は、血管に穿刺される。
【先行技術文献】
【特許文献】
【０００３】
【特許文献１】特開平５−２２８２１１号公報
【発明の概要】
【発明が解決しようとする課題】
【０００４】
血管は、太さ、弾性率、動きやすさ等、様々なものがあり、穿刺がしにくい血管に穿刺しなければならないことがある。例えば、弾性率が高く、筋肉に挟まれていない血管に穿刺する場合、血管の表面で針先が滑ってしまい、血管に刺さりにくい。このため、血管に穿刺できる確率が低くなる。
【０００５】
本発明はこのような課題を考慮してなされたものであり、効率的に穿刺を行うことが可能な穿刺針を提供することを目的とする。
【課題を解決するための手段】
【０００６】
上記の目的を達成するため、本発明は、針先端部に刃面を備えるとともに、前記刃面の先端側に針先構造を有する穿刺針であって、前記針先構造は、複数の針先を有することを特徴とする。
【０００７】
上記の構成を備えた本発明の穿刺針によれば、複数の針先を有することにより、穿刺針が血管に接触する際に、血管と針先の接触面積が増えるとともに、少なくとも２点の針先で挟むように血管を捕えることができる。このため、血管への穿刺成功率が向上する。
【０００８】
前記複数の針先の数は、２又は３であってもよい。
【０００９】
この構成により、針先の数が多くなり過ぎないため、針先が複数になることによる穿刺時の痛みや刺通抵抗の増加を抑制することができる。
【００１０】
前記複数の針先は、前記穿刺針の軸に平行な同一平面上に位置してもよい。
【００１１】
この構成により、針先構造が血管に接触した際に、複数の針先で血管を一層良好に捕えることができる。
【００１２】
前記複数の針先のうち、少なくとも２つの針先は、前記穿刺針の軸に垂直な同一平面上に位置してもよい。
【００１３】
この構成により、３つ以上の針先を有する場合でも、針先構造が血管に接触した際に、複数の針先で血管を良好に捕えることができる。
【００１４】
前記複数の針先のうち他の針先は、前記２つの針先よりも基端側に位置してもよい。
【００１５】
この構成により、３つ以上の針先を有する場合でも、針先構造が血管に接触した際に、複数の針先で血管を一層良好に捕えることができる。
【００１６】
前記複数の針先のうち両端に位置する針先は、前記穿刺針の軸に垂直な同一平面上に位置してもよい。
【００１７】
この構成により、３つ以上の針先を有する場合でも、針先構造が血管に接触した際に、複数の針先で血管を良好に捕えることができる。
【００１８】
前記複数の針先は、前記刃面に垂直な方向から見て三角形状の複数の突起の先端に設けられており、前記複数の突起の側部には、切刃が設けられてもよい。
【００１９】
この構成により、穿刺時の痛みや刺通抵抗の増加を抑制することができる。
【００２０】
前記針先端部には、バックカット又はランセットが形成されてもよい。
【００２１】
この構成により、穿刺時の痛みや刺通抵抗の増加を一層抑制することができる。
【００２２】
前記複数の針先のうち互いに隣接する針先の間隔Ｗは、０ｍｍ＜Ｗ＜１．６８ｍｍ又は０ｍｍ＜Ｗ＜１．２ｍｍの条件を満たしてもよい。
【００２３】
この構成により、穿刺時の痛みや刺通抵抗の増加を抑制しつつ、血管を捕えやすい針先構造を容易に実現できる。
【００２４】
前記複数の針先の角度θは、１°＜θ＜１２０°、１°＜θ＜６０°又は１°＜θ＜３０°の条件を満たしてもよい。
【００２５】
この構成により、穿刺時の痛みや刺通抵抗の増加を抑制しつつ、血管を捕えやすい針先構造を容易に実現できる。
【発明の効果】
【００２６】
本発明の穿刺針によれば、血管と針先の接触面積が増えるとともに、少なくとも２点の針先で挟むように血管を捕えることができるため、効率的に穿刺を行うことが可能となる。
【図面の簡単な説明】
【００２７】
【図１】本発明の第１実施形態に係る穿刺針の斜視図である。
【図２】図１に示した穿刺針の針先端部の斜視図である。
【図３】図１に示した穿刺針の針先構造及びその周辺の平面説明図である。
【図４】図１に示した穿刺針の針先構造及びその周辺の正面説明図である。
【図５】図１に示した穿刺針の作用説明図である。
【図６】本発明の第２実施形態に係る穿刺針の針先端部の斜視図である。
【図７】本発明の第３実施形態に係る穿刺針の針先端部の斜視図である。
【図８】本発明の第４実施形態に係る穿刺針の針先端部の斜視図である。
【図９】図８に示した穿刺針の針先構造及びその周辺の平面説明図である。
【図１０】図８に示した穿刺針の針先構造及びその周辺の正面説明図である。
【図１１】図８に示した穿刺針の針先構造及びその周辺を刃面裏側からみた斜視図である。
【図１２】本発明の第５実施形態に係る穿刺針の針先端部の背面図である。
【図１３】本発明の第６実施形態に係る穿刺針の針先端部の斜視図である。
【発明を実施するための形態】
【００２８】
以下、本発明に係る穿刺針について好適な実施形態を挙げ、添付の図面を参照しながら説明する。なお、第２〜第６実施形態において、第１実施形態と同一又は同様な要素には同一の参照符号を付し、詳細な説明を省略する。
【００２９】
図１に示す第１実施形態に係る穿刺針１０Ａは、生体の皮膚及び血管に穿刺されるものであって、それらに穿刺可能な剛性を有する細長い医療用棒状体である。穿刺針１０Ａは、例えば、留置針、注射針、採血針等として採用される。この場合、留置針としては、翼状針や、内針にカテーテルを組み合わせたカテーテル組立体（末梢静脈カテーテル、ミッドラインカテーテル等、又は末梢動脈カテーテル等の動脈用カテーテルで使用される。）が挙げられる。
【００３０】
穿刺針１０Ａは、軸方向に貫通するルーメン１０ａを有する中空体からなる。ルーメン１０ａは、穿刺針１０Ａの先端開口１０ｂに連通する。なお、穿刺針１０Ａは、ルーメン１０ａがない中実体であってもよい。
【００３１】
穿刺針１０Ａの構成材料としては、例えば、ステンレス鋼、アルミニウム又はアルミニウム合金、チタン又はチタン合金のような金属材料、硬質樹脂、セラミックス等が挙げられる。
【００３２】
穿刺針１０Ａの長さは、特に限定されず、用途や諸条件等に応じて適宜設定される。穿刺針１０Ａの長さは、例えば、１０〜７０ｍｍ程度に設定され、あるいは１０〜９０ｍｍ程度に設定され、あるいは９０〜１４０ｍｍ程度に設定される。
【００３３】
穿刺針１０Ａは、主要部を構成する針胴体部１１と、針胴体部１１の先端部に設けられた針先端部１２とを備える。針先端部１２に刃面１４が設けられている。刃面１４の先端側に、鋭利な針先構造１６を有する。刃面１４は、穿刺針１０Ａの軸ａに対して傾斜している。刃面１４に、先端開口１０ｂが開口している。
【００３４】
図２において、針先構造１６は、先端開口１０ｂよりも先端側に設けられている。針先構造１６は、例えば、刃面１４の全長（穿刺針１０Ａの軸ａに沿った刃面１４の長さ）Ｌｂのうち最先端位置から３０％の範囲内に設けられ、好ましくは、穿刺針１０Ａの全長Ｌｂのうち最先端位置から２０％の範囲内に設けられ、更に好ましくは、穿刺針１０Ａの全長Ｌｂのうち最先端位置から１０％の範囲内に設けられる。
【００３５】
針先構造１６は、複数（第１実施形態では、２つ）の針先２０を有する。複数の針先２０は、穿刺針１０Ａの軸ａに垂直な方向（刃面１４の幅方向）（矢印Ａ方向）に離間している。具体的に、針先構造１６は、刃面１４に垂直な方向から見て三角形状の複数（第１実施形態では、２つ）の突起２４を有する。複数の針先２０は、複数の突起２４の先端（三角形状の頂点）に設けられている。
【００３６】
図３に示すように、複数の針先２０は、穿刺針１０Ａの軸ａに垂直な同一平面Ｐ１上に位置する。なお、複数の針先２０は、穿刺針１０Ａの軸ａに垂直な異なる平面上に位置してもよい。すなわち、複数の針先２０は、異なる軸方向位置に位置していてもよい。複数の針先２０の間隔Ｗは、例えば、０ｍｍ＜Ｗ＜１．６８ｍｍ又は０ｍｍ＜Ｗ＜１．２ｍｍの条件を満たす。刃面１４に垂直な方向から見て、穿刺針１０Ａの軸ａは、２つの針先２０間のちょうど中央位置を通る。
【００３７】
複数の針先２０の角度θは、例えば、１°＜θ＜１２０°、１°＜θ＜６０°又は１°＜θ＜３０°の条件を満たす。複数の針先２０の角度θは、互いに同じでも、異なっていてもよい。穿刺針１０Ａの軸ａに沿った複数の針先２０の長さＬは、例えば、０ｍｍ＜Ｌ＜０.３ｍｍ、０ｍｍ＜Ｌ＜０.５ｍｍ、又は０ｍｍ＜Ｌ＜０.７ｍｍの条件を満たす。
【００３８】
図４に示すように、複数の針先２０は、穿刺針１０Ａの軸ａに平行な同一平面Ｐ２上に位置する。複数の針先２０は、穿刺針１０Ａの軸ａに平行な異なる平面上に位置していてもよい。
【００３９】
上記のように構成された穿刺針１０Ａの使用において、穿刺針１０Ａは、図５のように、目標の血管３０に穿刺される。この場合、第１実施形態に係る穿刺針１０Ａは、以下の効果を奏する。
【００４０】
穿刺針１０Ａによれば、複数の針先２０を有することにより、穿刺針１０Ａが血管３０に接触する際、血管３０と針先２０の接触面積が増えるとともに、少なくとも２点の針先２０で挟むように血管３０を捕えることができる。すなわち、弾性率が高く、筋肉に挟まれていない血管３０に穿刺する場合でも、血管３０の表面３０ａで針先２０が滑りにくく、血管３０に刺さりやすい。このため、血管３０への穿刺成功率が向上する。
【００４１】
穿刺針１０Ａでは、複数の針先２０の数は、２つである。この構成により、針先２０の数が多くなり過ぎないため、穿刺時の痛みや刺通抵抗の増加を抑制することができる。これに対し、針先２０の数が多くなり過ぎると、穿刺時の痛みや刺通抵抗の増加が大きくなる。
【００４２】
複数の針先２０は、穿刺針１０Ａの軸ａに垂直な同一平面Ｐ１上に位置する（図３）。また、複数の針先２０は、穿刺針１０Ａの軸ａに平行な同一平面Ｐ２上に位置する（図４）。この構成により、針先構造１６が血管３０に接触した際に、複数の針先２０で血管３０を一層良好に捕えることができる。
【００４３】
複数の針先２０のうち互いに隣接する針先２０の間隔Ｗ（図３）は、０ｍｍ＜Ｗ＜１．６８ｍｍ又は０ｍｍ＜Ｗ＜１．２ｍｍの条件を満たす。また、複数の針先２０の角度θ（図３）は、１°＜θ＜１２０°、１°＜θ＜６０°又は１°＜θ＜３０°の条件を満たす。針先２０の間隔Ｗと角度θが上記のように設定されることにより、穿刺時の痛みや刺通抵抗の増加を抑制しつつ、血管３０を捕えやすい針先構造１６を容易に実現できる。
【００４４】
図６に示す本発明の第２実施形態に係る穿刺針１０Ｂでは、針先端部１２にバックカット３４が設けられている。具体的に、バックカット３４は、穿刺針１０Ｂの外周面における刃面１４とは反対側で、針先端部１２の幅方向両側に一対形成されている。一対のバックカット３４の先端は、複数の針先２０に連なっている。各バックカット３４は、穿刺針１０Ｂの軸ａに対して傾斜するとともに、刃面１４が存在する平面とは異なる平面上に存在している。
【００４５】
第２実施形態に係る穿刺針１０Ｂによれば、バックカット３４が設けられているため、複数の針先２０が設けられることによる穿刺時の痛みや刺通抵抗の増加を効果的に抑制することができる。
【００４６】
図７に示す本発明の第３実施形態に係る穿刺針１０Ｃでは、針先端部１２にランセット３８が形成されている。ランセット３８は、刃面１４の一部を構成している。具体的に、刃面１４は、刃面１４の基端から先端方向に延在するＵ字状のベース刃面１４ａと、ベース刃面１４ａの各先端から針先構造１６に向かって延在する一対のランセット３８とを有する。
【００４７】
各ランセット３８は、穿刺針１０Ｃの軸ａに対して傾斜するとともに、ベース刃面１４ａが存在する平面とは異なる平面上に存在している。一対のランセット３８は、互いに異なる平面上に存在している。
【００４８】
第３実施形態に係る穿刺針１０Ｃによれば、ランセット３８が設けられているため、複数の針先２０が設けられることによる穿刺時の痛みや刺通抵抗の増加を効果的に抑制することができる。
【００４９】
図８に示す本発明の第４実施形態に係る穿刺針１０Ｄは、刃面１４の先端側に針先構造１６ａを備える。針先構造１６ａは、複数（第４実施形態では、３つ）の針先２０を有する。従って、第１実施形態と同様に、血管３０（図５）と針先２０の接触面積が増えるとともに、少なくとも２点の針先２０で挟むように血管３０を捕えることができる。
【００５０】
複数の針先２０の数は、３つである。この構成により、針先２０の数が多くなり過ぎないため、穿刺時の痛みや刺通抵抗の増加を抑制することができる。
【００５１】
複数の針先２０は、刃面１４に垂直な方向から見て三角形状の複数の突起２４の先端に設けられている。図９に示すように、複数の針先２０のうち、少なくとも２つの針先２０は、穿刺針１０Ｄの軸ａに垂直な同一平面Ｐ１上に位置する。この構成により、針先構造１６ａが血管３０に接触した際に、複数の針先２０で血管３０を一層良好に捕えることができる。
【００５２】
穿刺針１０Ｄでは、複数の針先２０のうち両端に位置する針先２０は、同一平面上に位置する。この構成により、３つ以上の針先２０を有する場合でも、針先構造１６ａが血管３０に接触した際に、複数の針先２０で血管３０を良好に捕えることができる。第４実施形態では、複数の針先２０のすべてが、同一平面Ｐ１上に位置する。
【００５３】
なお、複数の針先２０は、穿刺針１０Ｄの軸ａに垂直な異なる平面上に位置してもよい。すなわち、複数の針先２０は、異なる軸方向位置に位置していてもよい。
【００５４】
図１０に示すように、穿刺針１０Ｄでは、複数の針先２０はすべて、穿刺針１０Ｄの軸ａに平行な同一平面Ｐ２上に位置する。複数の針先２０は、穿刺針１０Ｄの軸ａに平行な異なる平面上に位置していてもよい。
【００５５】
図１１に示すように、複数の突起２４の側部（穿刺針１０Ｄの軸ａに対して傾斜する、三角形状の辺に相当する部分）には、切刃４０が設けられている。切刃４０は、穿刺針１０Ｄの外周面のうち、刃面１４が設けられた側とは反対側に設けられている。切刃４０は、穿刺針１０Ｄの軸ａに対して傾斜するとともに、針先２０に連なっている。
【００５６】
穿刺針１０Ｄでは、このような切刃４０が設けられるため、複数の針先２０を設けることによる穿刺時の痛みや刺通抵抗の増加を抑制することができる。
【００５７】
穿刺針１０Ｄでは、図６に示した穿刺針１０Ｂと同様に、針先端部１２にバックカット３４が設けられている。このため、複数の針先２０が設けられることによる穿刺時の痛みや刺通抵抗の増加を一層効果的に抑制することができる。
【００５８】
なお、穿刺針１０Ｄにおいて、切刃４０及びバックカット３４の少なくとも一方をなくしてもよい。
【００５９】
図１２に示す本発明の第５実施形態に係る穿刺針１０Ｅの針先構造１６ｂでは、複数（３つ）の針先２０のうち両端に位置する針先２０ａは、同一平面上に位置する。他の針先２０（中央の針先２０ｂ）は、両端に位置する針先２０ａよりも基端側に位置する。この構成により、穿刺針１０Ｅのように３つ以上の針先２０を有する場合でも、針先構造１６ｂが血管３０に接触した際に、複数の針先２０で血管３０を一層良好に捕えることができる。
【００６０】
図１３に示す本発明の第６実施形態に係る穿刺針１０Ｆでは、上述した第３実施形態に係る穿刺針１０Ｃ（図７）と同様に、針先端部１２にランセット３８が形成されている。このため、複数の針先２０が設けられることによる穿刺時の痛みや刺通抵抗の増加を効果的に抑制することができる。
【００６１】
なお、穿刺針１０Ｆにおいて、第４実施形態に係る穿刺針１０Ｄと同様に、複数の突起２４の側部に切刃４０が設けられてもよい。
【００６２】
本発明は上述した実施形態に限定されるものではなく、本発明の要旨を逸脱しない範囲において、種々の改変が可能である。
【符号の説明】
【００６３】
１０Ａ〜１０Ｆ…穿刺針              １２…針先端部
１４…刃面                          １６…針先構造
２０…針先                          ３４…バックカット
３８…ランセット                    ４０…切刃
【図１】
2018143630.tif 000003
【図２】
2018143630.tif 000004
【図３】
2018143630.tif 000005
【図４】
2018143630.tif 000006
【図５】
2018143630.tif 000007
【図６】
2018143630.tif 000008
【図７】
2018143630.tif 000009
【図８】
2018143630.tif 000010
【図９】
2018143630.tif 000011
【図１０】
2018143630.tif 000012
【図１１】
2018143630.tif 000013
【図１２】
2018143630.tif 000014
【図１３】
2018143630.tif 000015